(57)【特許請求の範囲】
【請求項１】
キレート剤、還元剤、または、前記キレート剤と前記還元剤との混合物である防錆剤を含む洗浄液が、ヘマタイトが付着した部材を有する洗浄対象機器に供給される洗浄液供給工程と、
前記部材中の少なくとも前記ヘマタイトが付着した領域が前記洗浄液に浸漬され、前記洗浄液の酸化還元電位が前記洗浄液に前記ヘマタイトが溶出する値に維持されて、前記ヘマタイトが前記部材から除去される洗浄工程とを有し、
前記キレート剤が、アミノカルボン酸系キレート剤、オキシカルボン酸系キレート剤及び有機リン系キレート剤のいずれかであり、
前記還元剤が、金属イオン、亜硫酸塩、シュウ酸、蟻酸、アスコルビン酸、ピロガロール、ヒドラジン、水素のいずれかであり、
前記洗浄液のｐＨが４〜８の範囲内である化学洗浄方法。
【請求項２】
前記値が銀−塩化銀電極基準で−０．８Ｖ以上−０．４Ｖ以下の範囲内に維持されて前記洗浄工程が実施される請求項１に記載の化学洗浄方法。
【請求項３】
前記洗浄対象機器に還元雰囲気ガスが供給されることによって前記値が調整される請求項１または請求項２に記載の化学洗浄方法。
【請求項４】
前記洗浄工程中の前記洗浄液の温度が、前記部材の周辺の環境温度以上前記環境温度よりも１０℃高い温度以下の範囲内である請求項１乃至請求項３のいずれかに記載の化学洗浄方法。
【請求項５】
前記洗浄液が静置した状態で前記領域が前記洗浄液に浸漬される請求項１乃至請求項４のいずれかに記載の化学洗浄方法。
【請求項６】
前記洗浄液送給工程と前記洗浄工程との間に水供給工程を更に含み、
前記洗浄液供給工程において所定量の前記洗浄液が前記洗浄対象機器に供給され、前記水供給工程において所定量の水が前記洗浄対象機器に供給されて、前記領域が前記洗浄液に浸漬される請求項１乃至請求項５のいずれかに記載の化学洗浄方法。
【請求項７】
前記洗浄液が水溶性高分子からなるカプセル内に収容され、前記カプセルが前記洗浄対象機器に供給される請求項１乃至請求項６のいずれかに記載の化学洗浄方法。
【請求項８】
前記洗浄工程中に、前記洗浄液が前記部材から排出される工程と、排出された前記洗浄液が前記部材に送給される工程とを繰り返して、前記領域の近傍で前記洗浄液の液面の高さを移動させる請求項１乃至請求項４のいずれかに記載の化学洗浄方法。
【請求項９】
前記洗浄工程中に、前記洗浄液が前記部材に通過して前記部材の上流側端部から排出され、排出された前記洗浄液が、前記部材の下流側端部に直接的に循環される請求項１乃至請求項４のいずれかに記載の化学洗浄方法。
【請求項１０】
ヘマタイトスケールが付着した部材を有する洗浄対象機器を化学洗浄するための化学洗浄装置であって、
キレート剤、還元剤、または、前記キレート剤と前記還元剤との混合物であり、前記キレート剤が、アミノカルボン酸系キレート剤、オキシカルボン酸系キレート剤及び有機リン系キレート剤のいずれかであり、前記還元剤が、金属イオン、亜硫酸塩、シュウ酸、蟻酸、アスコルビン酸、ピロガロール、ヒドラジン、水素のいずれかである防錆剤を含み、ｐＨが４〜８の範囲内である洗浄液を収容する薬液タンクと、
前記洗浄対象機器と前記薬液タンクとを連結し、前記部材に前記洗浄液を供給する薬液供給ラインと、
前記薬液供給ラインに設置されるポンプと、
前記洗浄対象機器と前記薬液タンクとを連結し、前記洗浄液を前記部材から排出する薬液排出ラインと、
前記部材中の少なくとも前記ヘマタイトが付着した領域を前記洗浄液に浸漬させる手段と、
洗浄中の前記洗浄液の酸化還元電位を前記洗浄液に前記ヘマタイトが溶出する値に維持する手段とを備え、
前記薬液タンク、前記薬液供給ライン及び前記ポンプが、前記部材に前記洗浄液を供給する手段である化学洗浄装置。
【請求項１１】
前記値を、銀−塩化銀電極基準で−０．８Ｖ以上−０．４Ｖ以下の範囲内の値に調整する還元雰囲気調整部を備える請求項１０に記載の化学洗浄装置。
【請求項１２】
前記還元雰囲気調整部が、前記洗浄対象器に還元雰囲気ガスを供給する請求項１１に記載の化学洗浄装置。
【請求項１３】
前記部材に供給された前記洗浄液の温度が、前記部材の周辺の環境温度以上前記環境温度よりも１０℃高い温度以下の範囲内である請求項１０乃至請求項１２のいずれかに記載の化学洗浄装置。
【請求項１４】
前記ポンプを挟んで上流側の前記薬液供給ラインと下流側の前記薬液供給ラインとを連結する循環ループを更に備え、
前記ポンプを通過した前記洗浄液の一部が前記循環ループを介して前記ポンプの上流側に搬送される請求項１０乃至請求項１３のいずれかに記載の化学洗浄装置。
【請求項１５】
洗浄中に、前記部材への前記洗浄液の供給及び前記部材からの前記洗浄液の排出を停止して、前記洗浄液を静置させる請求項１０乃至請求項１４のいずれかに記載の化学洗浄装置。
【請求項１６】
水を収容する水タンクと、前記水タンクと前記洗浄対象機器とを連結する水供給ラインと、前記水供給ラインに設置される水張ポンプとを備える水供給部を更に備える請求項１０乃至請求項１５のいずれかに記載の化学洗浄装置。
【請求項１７】
前記洗浄液が水溶性高分子からなるカプセル内に収容され、
前記薬液タンクが前記カプセルを収容し、前記カプセルが前記洗浄液タンクから前記洗浄対象機器に供給される請求項１０乃至請求項１６のいずれかに記載の化学洗浄装置。
【請求項１８】
洗浄中に、前記薬液排出ラインを通じて前記部材内の洗浄液を前記薬液タンクに向かって排出させることと、前記薬液供給ラインを通じて前記薬液タンク中の前記洗浄液を前記部材に送給させることとを繰り返させる請求項１０乃至請求項１３のいずれかに記載の化学洗浄装置。
【請求項１９】
前記部材の上流側端部と下流側端部とを連絡する循環ラインと、前記循環ラインに設置される循環ポンプとを備える循環部を有し、
洗浄中に前記循環ラインを通じて、前下流側端部から排出された前記洗浄液を前記上流側端部に循環させる請求項１０乃至請求項１３のいずれかに記載の化学洗浄装置。
【発明の詳細な説明】
【技術分野】
【０００１】
本発明は、火力発電システム中の火炉壁管内面などに付着するヘマタイトを除去するための化学洗浄方法及び化学洗浄装置に関する。
【背景技術】
【０００２】
図１３に例示される火力発電システム１は貫流ボイラ１０を備える。ボイラの給水系統として復水器２０、復水脱塩装置２１、グランド蒸気復水器２２、低圧給水加熱器２３、脱気器２４、高圧給水加熱器２５、及び、節炭器２６が設置される。ボイラの蒸気系統として気水分離器３０、過熱器３１、タービン３２、及び、再熱器３３が設置される。タービン３２としては、高圧タービン、中圧タービンと低圧タービンとが設置されていても良い。
【０００３】
ボイラ給水系統に酸素処理が適用される火力発電システム１では、貫流ボイラ１０の火炉壁管のメタル温度が上昇する事象が発生し、火炉壁管破損によるボイラ給水の漏洩の発生が問題となっている。火炉壁管のメタル温度上昇は、低圧給水加熱器ドレン系統２７または給水系統の配管から鉄が溶出してヘマタイト（Ｆｅ２Ｏ３）が生成し、ヘマタイトが火炉壁管内面に付着・堆積して熱伝導が悪くなることが原因である。
【０００４】
上述の火炉壁管の漏洩不適合を予防するために、定期的に火炉壁管の化学洗浄を実施し、管内面に堆積したヘマタイト等の鉄系酸化物からなるスケールを除去することが行われている。従来の化学洗浄では、節炭器２６〜気水分離器３０の間で循環路を設置し、循環路内に６０〜８０℃程度に加熱された酸性の洗浄液（塩酸など）を流通させることにより、火炉壁管内側の洗浄が実施される（例えば特許文献１参照）。
【０００５】
特許文献２は、原子炉用蒸気発生器内に発生したスラッジ等を除去する方法を開示する。特許文献３は、火力発電プラントや原子力発電プラントなどに用いられる金属製フィルタから酸化鉄スケールを洗浄除去するための方法を開示する。特許文献３の方法では、フィルタに付着した鉄酸化物のうち、付着部分の鉄のみを溶解させることによって、鉄酸化物スケールをフィルタから剥離させて除去している。
【先行技術文献】
【特許文献】
【０００６】
【特許文献１】特開平８−１０５６０２号公報
【特許文献２】特表２００４−５３５５４６号公報
【特許文献３】特開２０１３−７１１１１号公報
【発明の概要】
【発明が解決しようとする課題】
【０００７】
特許文献１のように従来の化学洗浄では、設置した循環路内が洗浄液で満たされる必要があった。また、酸性の洗浄液を使用することにより洗浄中に水素ガスが発生するので、化学洗浄は火気を用いる機械・電気工事と並行して作業することができなかった。このように、化学洗浄を実施している間は、洗浄液に浸漬されている機器だけでなく他の機器でもメンテナンス作業を行うことができず、メンテナンスを効率良く行うことができないという問題があった。
【０００８】
従来の化学洗浄方法では、鉄系酸化物からなるスケールを除去するために速い流速で洗浄液を流通させる必要があった。また、十分な流量を得るためには大径の配管に接続する必要があるが、貫流ボイラ１０の上流側配管及び下流側配管は小径配管であり、化学洗浄装置を接続するには不適切である。このため、具体的に特許文献１に示すように節炭器２６の上流側配管と、気水分離器３０内の配管に循環路を接続するしかなく、装置上の制約があった。
【０００９】
ヘマタイトは難溶性酸化物であり、従来の酸性の洗浄液（例えば塩酸系やクエン酸系）では、洗浄液中に溶解しにくく、化学洗浄によりスラッジが発生する。
また、配管や特許文献３の金属製フィルタの表面に、自然酸化スケールであるマグネタイト層が形成されている。特許文献３の方法では付着した鉄酸化物スケールを全て溶解させることなくマグネタイト層だけを溶解させてスケールを剥離させることになる。従って、特許文献３に開示される方法を用いれば、スラッジが発生する。
【００１０】
火力発電システム１中の貫流ボイラ１０の火炉壁管などは配管形状が長く複雑なために、スラッジが発生すると配管の途中の一部に集積して配管内を閉塞する場合がある。
このため、従来の化学洗浄では洗浄液からスラッジを除去する必要があった。スラッジを除去する方法としては、洗浄液が通過する部分の途中にフィルタを設けて洗浄液中に浮遊するスラッジを捕集する方法や、化学洗浄後に洗浄対象機器の配管等の一部を切断して管内部を点検して、吸引清掃など物理的方法により除去してから再度配管を溶接する方法などがある。
【００１１】
また、酸性の洗浄液を用いた従来の化学洗浄では、上述のように洗浄液を加熱する必要があり、洗浄液を加熱する昇温設備を別途設置する必要があった。また、酸性の洗浄液に浸漬された機器内を洗浄後に中和しなければならず、多量の中和水が必要とされていた。
【００１２】
図１３に示す火力発電システムのように、気水分離器３０の下流側にステンレス製の部品を有する過熱器３１がある場合、ステンレス製部品が塩酸などの酸性の洗浄液に接触すると腐食する恐れがある。このため、従来の化学洗浄では、洗浄対象となる機器の下流側に隣接する非洗浄系統内に水を張り加圧して、洗浄液の侵入を防止する必要があり、水張・加圧用のポンプが設置されていた。
【００１３】
このように、従来の化学洗浄を行う場合には、多量の洗浄液と水張用及び中和用の水とが必要な上、大掛かりな設備とその設置工事が必要であり、工期が長期に亘るため、メンテナンスコストが高いことが問題となっていた。
【００１４】
本発明は上記事情に鑑みなされたものであり、ヘマタイトを除去する化学洗浄を低コストで短期間に実施することができる化学洗浄方法、及び、当該化学洗浄方法を実施するための化学洗浄装置を提供することを目的とする。
【課題を解決するための手段】
【００１５】
本発明の第１の態様に係る化学洗浄方法は、キレート剤、還元剤、または、前記キレート剤と前記還元剤との混合物である防錆剤を含む洗浄液が、ヘマタイトが付着した部材を有する洗浄対象機器に供給される洗浄液供給工程と、前記部材中の少なくとも前記ヘマタイトが付着した領域が前記洗浄液に浸漬され、前記洗浄液の酸化還元電位が前記洗浄液に前記ヘマタイトが溶出する値に維持されて、前記ヘマタイトが前記部材から除去される洗浄工程とを有し、前記キレート剤が、アミノカルボン酸系キレート剤、オキシカルボン酸系キレート剤及び有機リン系キレート剤のいずれかであり、前記還元剤が、金属イオン、亜硫酸塩、シュウ酸、蟻酸、アスコルビン酸、ピロガロール、ヒドラジン、水素のいずれかであり、前記洗浄液のｐＨが４〜８の範囲内である。
【００１６】
本発明の第２の態様に係る化学洗浄装置は、ヘマタイトスケールが付着した部材を有する洗浄対象機器を化学洗浄するための化学洗浄装置であって、キレート剤、還元剤、または、前記キレート剤と前記還元剤との混合物であり、前記キレート剤が、アミノカルボン酸系キレート剤、オキシカルボン酸系キレート剤及び有機リン系キレート剤のいずれかであり、前記還元剤が、金属イオン、亜硫酸塩、シュウ酸、蟻酸、アスコルビン酸、ピロガロール、ヒドラジン、水素のいずれかである防錆剤を含み、ｐＨが４〜８の範囲内である洗浄液を収容する薬液タンクと、前記洗浄対象機器と前記薬液タンクとを連結し、前記部材に前記洗浄液を供給する薬液供給ラインと、前記薬液供給ラインに設置されるポンプと、前記洗浄対象機器と前記薬液タンクとを連結し、前記洗浄液を前記部材から排出する薬液排出ラインと、前記部材中の少なくとも前記ヘマタイトが付着した領域を前記洗浄液に浸漬させる手段と、洗浄中の前記洗浄液の酸化還元電位を前記洗浄液に前記ヘマタイトが溶出する値に維持する手段とを備え、前記薬液タンク、前記薬液供給ライン及び前記ポンプが、前記部材に前記洗浄液を供給する手段である。
【００１７】
上記態様の化学洗浄方法及び化学洗浄装置では、洗浄対象機器のみに洗浄液を送給するので、化学洗浄に要する洗浄液量を大幅に削減することができる。
更に、防錆剤を含む洗浄液を用いるため、洗浄対象機器の下流側にステンレス製部品を有する機器が配置される場合でも、部材の腐食を防止するための水張等を実施する必要が無く、水張のための設備が不要となり、装置構成が簡略化する。また、洗浄時に水素が発生しないので火気を用いる機械工事や電気工事と並行して化学洗浄を実施することができるとともに、各部の点検やメンテナンス作業を並行して実施することができることから、メンテナンス工期を短縮することができる。
このように本発明の化学洗浄方法及び化学洗浄装置を用いれば、設備費や薬品代などのメンテナンスに要するコストを大幅に削減することができるので有利である。
【００１８】
上記化学洗浄方法において、前記値が銀−塩化銀電極基準で−０．８Ｖ以上−０．４Ｖ以下の範囲内に維持されて前記洗浄工程が実施される。
上記化学洗浄方法において、前記洗浄対象機器に還元雰囲気ガスが供給されることによって前記値が調整されても良い。
【００１９】
上記化学洗浄装置は、洗浄中の前記洗浄液の酸化還元電位を、銀−塩化銀電極基準で−０．８Ｖ以上−０．４Ｖ以下の範囲内の値に調整する還元雰囲気調整部を備える。
上記化学洗浄装置において、前記還元雰囲気調整部が、前記洗浄対象器に還元雰囲気ガスを供給しても良い。
【００２０】
上記の酸化還元電位として還元状態を維持することによりヘマタイトが洗浄液中に溶解して除去される。洗浄によりスラッジなどの固形物がほとんど発生することなく、また若干の固形物の発生があった場合でも、洗浄対象機器から洗浄液とともに容易に排出することができる。また、スラッジを除去する設備が不要であるので、設備費を削減することが可能である。
【００２１】
上記化学洗浄方法において、前記洗浄工程中の前記洗浄液の温度が、前記部材の周辺の環境温度以上前記環境温度よりも１０℃高い温度以下の範囲内であることが好ましい。
【００２２】
上記化学洗浄装置において、前記部材に供給された前記洗浄液の温度が、前記部材の周辺の環境温度以上前記環境温度よりも１０℃高い温度以下の範囲内であることが好ましい。
上記化学洗浄装置は、前記ポンプを挟んで上流側の前記薬液供給ラインと下流側の前記薬液供給ラインとを連結する循環ループを更に備え、前記ポンプを通過した前記洗浄液の一部が前記循環ループを介して前記ポンプの上流側に搬送されることが好ましい。
【００２３】
本発明に依れば酸性の洗浄液を使用した場合よりも低温でヘマタイトの除去が可能であり、洗浄液を積極的に昇温させる必要が無く、環境温度のままの温度維持は極めて容易である。
洗浄液を環境温度より１０℃高い温度以下に昇温すれば、更に洗浄力を高めることも可能である。例えばポンプ運転時に発生する熱を利用して、洗浄液を容易に昇温することができる。本発明の構成は積極的な冷却がないので長時間に亘り洗浄液の温度を環境温度よりも高く維持することが可能である。
本発明に依れば酸性洗浄液を用いた従来法よりも低温で洗浄を行うことができる結果、設備費及び洗浄コストを削減することが可能である。
【００２４】
上記化学洗浄方法において、前記洗浄液が静置した状態で領域が前記洗浄液に浸漬される。
上記化学洗浄装置は、洗浄中に、前記部材への前記洗浄液の供給及び前記部材からの前記洗浄液の排出を停止して、前記洗浄液を静置させる。
上記化学洗浄方法及び化学洗浄装置に依れば、洗浄液の大掛かりな循環路などの設置が不要となり、簡易な工程で洗浄を実施することになるので有利である。
【００２５】
上記化学洗浄方法において、前記洗浄液送給工程と前記洗浄工程との間に水供給工程を更に含み、前記洗浄液供給工程において所定量の前記洗浄液が前記洗浄対象機器に供給され、前記水供給工程において所定量の水が前記洗浄対象機器に供給されて、前記領域が前記洗浄液に浸漬される。
上記化学洗浄装置は、水を収容する水タンクと、前記水タンクと前記洗浄対象機器とを連結する水供給ラインと、前記水供給ラインに設置される水張ポンプとを備える水供給部を更に備える。
【００２６】
本化学洗浄方法及び化学洗浄装置に依れば、洗浄対象機器内で洗浄液の層と水の層とが分離した状態とすることができる。ヘマタイトが付着した領域が洗浄液に浸漬され、その他の部分は水に浸漬されるようにすれば、化学洗浄に使用する洗浄液の量を大幅に削減することが可能である。
【００２７】
上記化学洗浄方法において、前記洗浄液が水溶性高分子からなるカプセル内に収容され、前記カプセルが前記洗浄対象機器に供給されても良い。
【００２８】
上記化学洗浄装置において、前記洗浄液が水溶性高分子からなるカプセル内に収容され、前記薬液タンクが前記カプセルを収容し、前記カプセルが前記洗浄液タンクから前記洗浄対象機器に供給されても良い。
【００２９】
本化学洗浄方法及び化学洗浄装置によって、例えば、特にヘマタイトが多く発生した領域を洗浄液に容易に浸漬することができるので、使用する洗浄液の量を大幅に削減することが可能となる。
【００３０】
上記化学洗浄方法において、前記洗浄工程中に、前記洗浄液が前記部材から排出される工程と、排出された前記洗浄液が前記部材に送給される工程とを繰り返して、前記領域の近傍で前記洗浄液の液面の高さを移動させる。
【００３１】
上記化学洗浄装置において、洗浄中に、前記薬液排出ラインを通じて前記部材内の洗浄液を前記薬液タンクに向かって排出させることと、前記薬液供給ラインを通じて前記薬液タンク中の前記洗浄液を前記部材に送給させることとを繰り返させる。
【００３２】
本化学洗浄方法及び化学洗浄装置に依れば、ヘマタイトが付着した領域で洗浄液に流速が与えられるとともに洗浄液が撹拌されるので、洗浄力が向上するので有利である。
【００３３】
上記化学洗浄方法において、前記洗浄工程中に、前記洗浄液が前記部材に通過して前記部材の上流側端部から排出され、排出された前記洗浄液が、前記部材の下流側端部に直接的に循環される。
【００３４】
上記化学洗浄装置において、前記部材の上流側端部と下流側端部とを連絡する循環ラインと、前記循環ラインに設置される循環ポンプとを備える循環部を有し、洗浄中に前記循環ラインを通じて、前下流側端部から排出された前記洗浄液を前記上流側端部に循環させる。
【００３５】
本化学洗浄方法及び化学洗浄装置によっても、ヘマタイトが付着した領域で洗浄液に流速が与えられるとともに洗浄液が撹拌されるので、洗浄力が向上する。また、ポンプを通過する際に洗浄液が加温され、部材の周辺の環境温度よりも高い状態で洗浄が実施されるため、洗浄力が向上する。
【発明の効果】
【００３６】
本発明に依れば、従来の化学洗浄方法よりも洗浄液の使用量を削減できるとともに化学洗浄装置の装置構成が簡略化するので、化学洗浄に要するコストを大幅に削減することが可能である。
また、本発明では他の機器に洗浄液が送給されず、洗浄時に水素が発生しないため、化学洗浄と同時に他の作業を行うことが可能である。このため本発明は、従来技術と比較してメンテナンス工期が短縮するという有利な効果を奏する。
【図面の簡単な説明】
【００３７】
【図１】第１実施形態に係る化学洗浄装置を説明する概略図である。
【図２】貫流ボイラの一例の概略図である。
【図３】貫流ボイラの一例の概略図である。
【図４】第１実施形態の化学洗浄方法を説明する概略図である。
【図５】洗浄液浸漬前の火炉壁管断面のＳＥＭ写真である。
【図６】化学洗浄後の火炉壁管断面のＳＥＭ写真である。
【図７】第２実施形態に係る化学洗浄装置を説明する概略図である。
【図８】第３実施形態に係る化学洗浄装置を説明する概略図である。
【図９】第４実施形態に係る化学洗浄装置を説明する概略図である。
【図１０】第５実施形態に係る化学洗浄装置を説明する概略図である。
【図１１】第８実施形態に係る化学洗浄装置を説明する概略図である。
【図１２】第９実施形態に係る化学洗浄装置を説明する概略図である。
【図１３】火力発電システムの概略図である。
【発明を実施するための形態】
【００３８】
本発明の化学洗浄方法及び化学洗浄システムで使用される洗浄液は、防錆剤を含む水溶液である。
防錆剤は、キレート剤、還元剤、またはキレート剤と還元剤の混合剤である。キレート剤は、例えばＥＤＴＡ、ＢＡＰＴＡ、ＤＯＴＡ、ＥＤＤＳ、ＩＮＮ、ＮＴＡ、ＤＴＰＡ、ＨＥＤＴＡ、ＴＴＨＡ、ＰＤＴＡ、ＤＰＴＡ-ＯＨ、ＨＩＤＡ、ＤＨＥＧ、ＧＥＤＴＡ、ＣＭＧＡ、ＥＤＤＳなどのアミノカルボン酸やこれらの塩などのアミノカルボン酸系キレート剤、クエン酸、グルコン酸、ヒドロキシ酢酸などのオキシカルボン酸やこれらの塩などのオキシカルボン酸系キレート剤、ＡＴＭＰ、ＨＥＤＰ、ＮＴＭＰ、ＰＢＴＣ、ＥＤＴＭＰ等の有機リン酸やこれらの塩などの有機リン系キレート剤である。還元剤は、例えば、Ｆｅ２＋、Ｓｎ２＋などの各種金属イオン、亜硫酸ナトリウムなどの亜硫酸塩、シュウ酸、蟻酸、アスコルビン酸、ピロガロールなどの有機化合物、ヒドラジン、水素などである。防錆剤を含む洗浄液は、ｐＨが４〜８であり、好ましくはｐＨが５〜７である。
【００３９】
防錆剤には腐食抑制剤が添加されていても良い。洗浄液は、所望の洗浄力及び洗浄時間が得られるように、キレート剤、還元剤及び腐食抑制剤の濃度が適切に調整されている。
【００４０】
また洗浄液は、発泡を防止するための消泡剤を含んでいても良いし、含まなくても良い。本実施形態では公知の消泡剤を使用することができる。
【００４１】
以下では火力発電システムを例に挙げて本発明の化学洗浄方法及び化学洗浄装置の実施形態を説明する。但し、本発明は火力発電システムに限定されず、ヘマタイトが付着する他の機器に対しても適用可能である。
【００４２】
［第１実施形態］
図１は第１実施形態に係る化学洗浄装置を説明する概略図である。図１は、メンテナンス時において火力発電システム１に化学洗浄装置１００が設置された場合を示す。火力発電システム１の構成は図１３と同じである。火力発電システム１では、貫流ボイラ１０の火炉壁管などの伝熱配管内部に粉状スケールであるヘマタイトが付着して伝熱配管の熱伝導率が低下している。従って、伝熱性能の回復のために、貫流ボイラ１０が洗浄対象機器となっている。
【００４３】
第１実施形態の化学洗浄装置１００は、薬液タンク１０１、薬液タンク１０１と貫流ボイラ１０とを連結する薬液供給ライン１０２、薬液タンク１０１と貫流ボイラ１０とを連結する薬液排出ライン１０３、及び、制御部１０４を有する。薬液タンク１０１は上述の洗浄液を収容する。制御部１０４は例えばコンピュータである。
【００４４】
図２は貫流ボイラの一例である。図２（ａ）は貫流ボイラの概略図であり、図２（ｂ）は、図２（ａ）において丸印Ａで囲まれた部分の拡大図である。図２（ａ）の貫流ボイラ１０ａは、壁面１２ａで囲まれた燃焼室１１ａと、複数の火炉壁管とにより構成される。貫流ボイラ１０ａの火炉壁管１３ａは直線状の管が壁面１２ａに沿って燃焼室１１ａ横断面に対して垂直方向に延在する。複数の火炉壁管１３ａが壁面１２ａに沿って水平方向に配列されている。燃焼室１１ａの下部に下部管寄せ１４ａが設置され、複数の火炉壁管１３ａの下端部が下部管寄せ１４ａに接続する。燃焼室１１ａの上部に上部管寄せが設置され、複数の火炉壁管１３ａの上端部が上部管寄せ１５ａに接続する。
【００４５】
図３は貫流ボイラの別の例である。図３（ａ）は貫流ボイラの概略図であり、図３（ｂ）は、図３（ａ）において丸印Ｂで囲まれた部分の拡大図である。図３の貫流ボイラ１０ｂは、火炉壁管の形状が図２の貫流ボイラ１０ａと異なる。貫流ボイラ１０ｂにおいて、燃焼室１１ｂの下側では複数の火炉壁管１３ｂがスパイラル状に壁面１２ｂに沿って配設される。燃焼室１１ｂの垂直方向途中位置（分岐部１６）で火炉壁管１３ｂが複数の管に分岐する。分岐後の火炉壁管１３ｂは直線状であり、壁面１２ｂに沿って燃焼室１１ａ横断面に対して垂直方向上方に延びる。
燃焼室１１ｂの下部に下部管寄せ１４ｂが設置され、複数の火炉壁管１３ｂの下端部が下部管寄せ１４ｂに接続する。燃焼室１１ｂの上部に上部管寄せが設置され、複数の火炉壁管１３ｂの上端部が上部管寄せ１５ｂに接続する。
【００４６】
第１実施形態の化学洗浄装置１００では、貫流ボイラ１０（１０ａ，１０ｂ）の下部管寄せ１４ａ，１４ｂに薬液供給ライン１０２及び薬液排出ライン１０３が接続する。
薬液供給ライン１０２には、ポンプ１０５及びバルブＶ１が設置される。薬液排出ライン１０３にはバルブＶ２が設置される。ポンプ１０５、バルブＶ１，Ｖ２は制御部１０４に連絡する。
【００４７】
火炉壁管の配設方法によりヘマタイトが付着する場所が異なる。ヘマタイトは火炉壁管内でボイラ給水の流速が変化する場所に付着し易い傾向がある。例えば図２の貫流ボイラ１０ａでは燃焼室１１ａ下方に位置する火炉壁管１３ａ内面に、他部よりもヘマタイトが多く付着する。図３の貫流ボイラ１０ｂでは分岐部１６の火炉壁管１３ｂ内面に、他部よりもヘマタイトが多く付着する。
【００４８】
第１実施形態の化学洗浄装置１００は更に還元雰囲気調整部を備える。第１実施形態の化学洗浄装置１００において還元雰囲気調整部は還元雰囲気ガス供給部１１０である。図１における還元雰囲気ガス供給部１１０は、還元雰囲気ガス貯留部１１１、給気ライン１１２を備える。化学洗浄装置１００は排気ライン１１３を備える。給気ライン１１２及び排気ライン１１３には、各々バルブＶ３，Ｖ４が設置される。給気ライン１１２及び排気ライン１１３は、貫流ボイラ１０（１０ａ，１０ｂ）の上部管寄せ１５ａ，１５ｂに接続する。バルブＶ３，Ｖ４は制御部１０４に接続する。
【００４９】
還元雰囲気ガス貯留部１１１は還元雰囲気ガスを収容するボンベである。還元雰囲気ガスは洗浄液を還元状態に調整するためのガスである。具体的に、還元雰囲気ガスは窒素、アルゴン、蒸気、二酸化炭素、燃焼排ガスなどである。還元雰囲気ガスの純度は高純度ガスである必要はなく、後述する洗浄工程中の洗浄液の酸化還元電位を所定範囲に維持できるものであれば良い。還元雰囲気ガスとして窒素を用いる場合は、還元雰囲気ガス供給部１１０として火力発電システム１に既設される窒素注入設備が利用可能であるし、窒素注入設備を仮設または新設しても良い。還元雰囲気ガスとしての蒸気や燃焼排ガスは、隣接した別の火力発電システムのボイラで発生する蒸気や燃焼排ガスとすることができる。
【００５０】
第１実施形態の化学洗浄装置１００を用いて貫流ボイラ内に付着したヘマタイトを洗浄除去する化学洗浄方法を以下で説明する。
本実施形態の化学洗浄方法は例えば、火力発電システムの定期点検時において、炉内足場を架設する工程や洗浄対象機器（貫流ボイラ１０）以外の機器を工事する工程の期間中に実施される。
本実施形態の化学洗浄方法を実施するに当たり、貫流ボイラ１０と節炭器２６とを連結する配管に設置されるバルブは閉鎖される。
【００５１】
＜ガス供給工程＞
制御部１０４はバルブＶ２，Ｖ３を開放する。還元雰囲気ガス（窒素ガスなど）が、還元雰囲気ガス貯留部１１１から給気ライン１１２を介して貫流ボイラ１０の火炉壁管１３ａ，１３ｂに送給される。火炉壁管１３ａ，１３ｂ内の空気が薬液排出ライン１０３を介して系外に排出される。この工程により、貫流ボイラ１０内の火炉壁管１３ａ，１３ｂ内の空気が薬液排出ライン１０３を介して排出される。ガス供給工程により、火炉壁管１３ａ，１３ｂ内が還元雰囲気ガスで充填される。
ガスの置換に十分な時間が経過した後、制御部１０４はバルブＶ２，Ｖ３を閉鎖する。
【００５２】
＜洗浄液供給工程＞
制御部１０４はポンプ１０５を起動させるとともにバルブＶ１を開放する。制御部１０４はバルブＶ４を開放する。薬液タンク１０１内の洗浄液が薬液供給ライン１０２を介して貫流ボイラ１０に送給される。これにより、火炉壁管１３ａ，１３ｂ内面が洗浄液に浸漬し、供給された洗浄液に相当する体積の窒素など火炉壁管１３ａ，１３ｂ内のパージガスが排気ライン１１３を介して系外に排出される。
【００５３】
本実施形態では貫流ボイラ１０と節炭器２６とを連結する配管のバルブが閉鎖されているため、薬液供給ライン１０２から下部管寄せ１４ａ，１４ｂに供給された洗浄液が節炭器２６に流入することはない。
【００５４】
本実施形態では、少なくとも火炉壁管１３ａ，１３ｂ内面のヘマタイトが付着した領域が洗浄液に浸漬される。特に火炉壁管１３ａ，１３ｂ内面で、他の部分よりもヘマタイトが多量に付着した領域は必ず洗浄液に浸漬される。例えば、図４に示すように、他部よりもヘマタイトが多く付着した領域１７の上方に洗浄液の液面１８が位置するように、制御部１０４が洗浄液を供給する。化学洗浄のコストを考慮すると、洗浄液は複数の火炉壁管１３ａ，１３ｂの上端部（上部管寄せ１５ａ，１５ｂとの接続部）を上限として充填される。本実施形態では洗浄液が貫流ボイラ１０を超えて下流側の気水分離器３０には到達しない。すなわち、本実施形態では洗浄液は洗浄対象機器である貫流ボイラ１０のみに供給される。
【００５５】
ヘマタイトが付着する領域、特に、他部よりもヘマタイトが多く付着する領域１７の場所が予め特定されることにより、火炉壁管１３ａ，１３ｂの各サイズからヘマタイト付着領域を浸漬することができる洗浄液の必要量が決定できる。制御部１０４は洗浄液の必要量を格納しており、洗浄液供給工程で蒸気必要量に応じた所定量の洗浄液を貫流ボイラ１０に送給する。
【００５６】
＜洗浄工程＞
ヘマタイトが付着した領域が洗浄液に浸漬されると、制御部１０４はポンプ１０５を停止するとともにバルブＶ１，Ｖ４を閉鎖する。洗浄液が静置された状態で、ヘマタイトが洗浄液に漬け置きされて洗浄工程が実施される。
漬け置き時間（洗浄時間）はヘマタイトの発生量にも依るが、例えば２４時間以上である。この洗浄工程中は、火炉壁管１３ａ，１３ｂ内の圧力はほとんど変化することがなく、一定である。
【００５７】
本実施形態では洗浄工程中に洗浄液が静置されるので、洗浄工程中の洗浄液温度は火炉壁管１３ａ，１３ｂの周辺の環境温度と同程度になる。例えば、火炉壁管１３ａ，１３ｂの周辺の環境温度は２０〜４０℃程度である。環境温度は外気温度に近く、洗浄工程中は大きく変化することはないので、洗浄液温度も環境温度とほぼ同程度に維持される。
【００５８】
ガス供給工程によって火炉壁管１３ａ，１３ｂ内部の空間に還元雰囲気ガスが充填されているため、洗浄工程中の洗浄液は還元状態に維持される。具体的に、洗浄工程中の洗浄液の酸化還元電位は、例えば薬液排出ライン１０３の途中で、酸化還元電位計を用いて計測することができる。酸化還元電位は、銀−塩化銀電極基準で−０．８Ｖ以上−０．４Ｖ以下に維持される。ｐＨ−電位線図によると、酸化還元電位を−０．４Ｖ以下とすることで鉄酸化物の溶解反応効率を高まりヘマタイトが洗浄液中に溶解する。一方、酸化還元電位が低くなる程Ｆｅ０が生じる。酸化還元電位が−０．８Ｖ未満になるとＦｅ０が生じ、スラッジが沈殿したり火炉壁管１３ａ，１３ｂに鉄が付着する。
【００５９】
酸化還元電位が所定範囲から外れた場合、洗浄液の酸化還元電位を維持するように、還元雰囲気ガスを再充填する。具体的に、バルブＶ２，Ｖ３が開放される。これにより、還元雰囲気ガス貯留部１１１から還元雰囲気ガスが貫流ボイラ１０に供給されて洗浄液が薬液排出ライン１０３を介して薬液タンク１０１に送給される。その後、バルブＶ２，Ｖ３が閉鎖され、バルブＶ１，Ｖ４が開放されるとともにポンプ１０５が起動することにより、薬液タンク１０１中の洗浄液が貫流ボイラ１０に送給される。あるいは、バルブＶ１，Ｖ２が閉鎖された状態でバルブＶ３，Ｖ４が開放されて、還元雰囲気ガス貯留部１１１から還元雰囲気ガスが貫流ボイラ１０に供給されて、還元雰囲気ガスが再充填される。
酸化還元電位が所定値から外れた場合に、洗浄液中に上述の還元剤を追加してもよい。具体的に、上記と同様に薬液タンク１０１に洗浄液を戻し、薬液タンク１０１内で還元剤が添加された後に、洗浄液が貫流ボイラ１０に送給される。
酸化還元電位の維持は、酸化還元電位をモニタリングする制御部１０４からの指示に基づいて自動化されていても良いし、作業員が酸化還元電位の検出と維持とを手動で実施しても良い。
【００６０】
図５，６は、実機から採取した火炉壁管で本実施形態の化学洗浄方法の効果を検証した結果である。ヘマタイトが付着した火炉壁管を実機から採取し、上述の洗浄液（ｐＨ５〜７）に２５℃に維持しながら浸漬（漬け置き）した。洗浄液の成分はキレート剤が３〜５重量％、還元剤が１．５〜２．５重量％の間で適宜条件を選定している。
洗浄液浸漬前の火炉壁管内面は赤色であり、ＳＥＭ写真（図５）では自己酸化スケール（マグネタイト（Ｆｅ３Ｏ４））とヘマタイトが確認された。一方、化学洗浄後の火炉壁管内面は黒色であり、ＳＥＭ写真（図６）では自己酸化スケールのみが確認できた。
【００６１】
ヘマタイトを用いて洗浄液の洗浄効果を検証した。ヘマタイト粉末を添加した洗浄液（ｐＨ５〜７）を容器に入れ、洗浄液の上方を窒素パージしてから密封した。試験期間中の酸化還元電位は、銀−塩化銀電極基準で−０．８Ｖ〜−０．４Ｖの範囲内にあった。洗浄液の成分はキレート剤が３〜５重量％、還元剤が１．５〜２．５重量％の間で適宜条件を選定している。洗浄液を８時間静置しながら２５℃に保持させた結果、洗浄液が不透明な赤茶色からほぼ透明に変化した。このことは、漬け置きによって洗浄液にヘマタイトが溶解したことを意味する。
【００６２】
＜排出工程＞
洗浄工程が所定時間実施された後、制御部１０４はバルブＶ２を開放する。火炉壁管１３ａ，１３ｂ内の洗浄液は下部管寄せ１４ａ，１４ｂから薬液排出ライン１０３を介して薬液タンク１０１に送給されて回収される。これにより、本実施形態の化学洗浄方法が終了する。
回収された洗浄液は防錆剤が残存していれば、洗浄成分（防錆剤の濃度）を再調整して次の化学洗浄に再利用しても良い。
【００６３】
上記方法に依れば、中性防錆剤を含む洗浄液を使用しているので、漬け置き状態で洗浄工程が実施されたとしても、洗浄液に浸漬される火炉壁管１３ａ，１３ｂの内面が腐食することなく、ヘマタイトを洗浄液に溶解することができる。
図５，６を用いて説明したように、本実施形態では自然酸化スケールであるマグネタイトの層を溶出させてヘマタイトを剥離除去する方法ではないので、スラッジの発生が抑制される。特に火力発電システム１では、貫流ボイラ１０の火炉壁管の配管形状が長く複雑なために、スラッジが発生すると配管の途中にスラッジが集積して配管内を閉塞する場合がある。本実施形態のように洗浄液にヘマタイトを溶解させて火炉壁管１３ａ，１３ｂから除去すれば、化学洗浄後に洗浄液の排出とともに溶出したヘマタイトを排出することができる。従って、例えば本実施形態を採用した火力発電システム１では、フィルタ等のスラッジを除去する設備が不要であるし、スラッジを除去するための別の洗浄などの工程も不要である。
【００６４】
［第２実施形態］
図７は第２実施形態に係る化学洗浄装置を説明する概略図である。
第２実施形態の化学洗浄装置２００は、第１実施形態と同様に、薬液供給ライン２０２及び薬液排出ライン２０３が貫流ボイラ１０の下部管寄せ１４ａ，１４ｂに接続する。薬液供給ライン２０２及び薬液排出ライン２０３は薬液タンク２０１に接続する。貫流ボイラの上部管寄せ１５ａ，１５ｂに排気ライン２１３が接続する。
【００６５】
化学洗浄装置２００は、薬液供給ライン２０２のポンプ２０５の下流側に還元雰囲気調整部として還元雰囲気ガス供給部２１０を備える。還元雰囲気ガス供給部２１０は制御部２０４に接続する。
【００６６】
第２実施形態の還元雰囲気ガス供給部２１０はマイクロバブル発生装置である。マイクロバブル発生装置は液体中に気泡を注入する装置である。本実施形態において、液体（洗浄液）に気泡として注入される気体は、第１実施形態で列挙した還元雰囲気ガスである。
【００６７】
図７では図示されていないが、図１と同様に貫流ボイラ１０に接続される還元雰囲気ガス貯留部及び給気ラインが設置されていても良い。
【００６８】
第２実施形態の化学洗浄装置２００を用いた化学洗浄方法を以下で説明する。本実施形態においても、化学洗浄方法を実施するに当たり、貫流ボイラ１０と節炭器２６とを連結する配管に設置されるバルブは閉鎖される。
【００６９】
＜洗浄液供給工程・ガス供給工程＞
制御部２０４はバルブＶ２を閉鎖する。制御部２０４はポンプ２０５及び還元雰囲気ガス供給部２１０を起動するとともにバルブＶ１を開放する。薬液タンク２０１内の洗浄液は薬液供給ライン２０２を介して還元雰囲気ガス供給部２１０に搬送される。還元雰囲気ガス供給部２１０は、洗浄液中に還元雰囲気ガスの気泡を注入する。気泡を含む洗浄液が薬液供給ライン２０２を介して貫流ボイラ１０の火炉壁管１３ａ，１３ｂに供給される。
【００７０】
洗浄液中の気泡は火炉壁管１３ａ，１３ｂ内で洗浄液から放出され、火炉壁管１３ａ，１３ｂ内に供給された洗浄液の上部空間に貯留される。制御部２０４はバルブＶ４を開放し、火炉壁管１３ａ，１３ｂ内の空気は排気ライン２１３を介して系外に放出される。こうして、火炉壁管１３ａ，１３ｂ内がパージガス雰囲気から還元雰囲気ガスに置換される。
【００７１】
このように、第２実施形態では、第１実施形態のように独立したガス供給工程が不要であり、火炉壁管１３ａ，１３ｂ内のガスの置換は洗浄液供給工程とともに行なわれる。
【００７２】
＜洗浄工程＞
少なくともヘマタイトが付着した領域（特にヘマタイトが他部よりも多く付着した領域１７）が洗浄液に浸漬されると、制御部２０４はポンプ２０５及び還元雰囲気ガス供給部２１０を停止するとともにバルブＶ１，Ｖ４を閉鎖する。洗浄液が静置された状態で、ヘマタイトの漬け置き洗浄処理が実施される。本実施形態においても、火炉壁管１３ａ，１３ｂ内の洗浄液は火炉壁管１３ａ，１３ｂの周辺の環境温度と同程度であり、酸化還元電位が銀−塩化銀電極基準で−０．８Ｖ以上−０．４Ｖ以下に維持される。
【００７３】
＜排出工程＞
洗浄工程が所定時間実施された後、第１実施形態と同様の工程で火炉壁管１３ａ，１３ｂ内の洗浄液が薬液タンク２０１に回収される。これにより、本実施形態の化学洗浄方法が終了する。
【００７４】
第１及び第２実施形態の化学洗浄方法で消泡剤を含まない洗浄液を使用した場合、洗浄液を火炉壁管１３ａ，１３ｂに送給することによって洗浄液が発泡し、ヘマタイトが発生した領域に泡状の洗浄液が付着する。ヘマタイトと泡状の洗浄液とが接触する時間が長くなることで、洗浄力が向上する。また、洗浄液を泡状とすることで、洗浄液の使用量が低減する。
【００７５】
［第３実施形態］
図８は第３実施形態に係る化学洗浄装置を説明する概略図である。
第３実施形態の化学洗浄装置３００は、第１実施形態と同様に、薬液供給ライン３０２及び薬液排出ライン３０３が貫流ボイラ１０の下部管寄せ１４ａ，１４ｂに接続する。薬液供給ライン３０２及び薬液排出ライン３０３は薬液タンク３０１に接続する。
【００７６】
化学洗浄装置３００は、還元雰囲気調整部として還元雰囲気調整剤供給部３１０を備える。還元雰囲気調整剤供給部３１０は、還元雰囲気調整剤貯留部３１１及び還元雰囲気調整剤供給ライン３１２を備える。還元雰囲気調整剤貯留部３１１は還元雰囲気調整剤を収容する。還元雰囲気調整剤は例えばヒドラジン、Ｌ-アスコルビン酸、硫黄系還元剤等である。
還元雰囲気調整剤供給部３１０はポンプ３０５の下流側で薬液供給ライン３０２に接続する。還元雰囲気調整剤供給ライン３１２にバルブＶ５が設置される。バルブＶ５は制御部３０４に接続する。
【００７７】
図８では図示されていないが、図１と同様に貫流ボイラ１０に接続される還元雰囲気ガス貯留部、給気ライン及び排気ラインが設置されていても良い。
【００７８】
第３実施形態の化学洗浄装置３００を用いて貫流ボイラ内に付着したヘマタイトを洗浄除去する化学洗浄方法を以下で説明する。本実施形態の化学洗浄方法を実施するに当たり、貫流ボイラ１０と節炭器２６とを連結する配管に設置されるバルブは閉鎖される。
【００７９】
＜洗浄液供給工程＞
制御部３０４はバルブＶ２を閉鎖する。制御部３０４はポンプ３０５を起動するとともにバルブＶ１，Ｖ５を開放する。薬液タンク３０１内の洗浄液が薬液供給ライン３０２を通過する間に、還元雰囲気調整剤供給部３１０から洗浄液中に還元雰囲気調整剤が投入される。還元雰囲気調整剤が投入された洗浄液が貫流ボイラ１０の火炉壁管１３ａ，１３ｂに送給される。
【００８０】
＜洗浄工程＞
少なくともヘマタイトが付着した領域が洗浄液に浸漬されると、制御部３０４はポンプ３０５を停止するとともにバルブＶ１，Ｖ５を閉鎖する。洗浄液が静置された状態で、ヘマタイトの漬け置き洗浄処理が実施される。
【００８１】
本実施形態においても、火炉壁管１３ａ，１３ｂ内の洗浄液は火炉壁管１３ａ，１３ｂの周辺の環境温度と同程度である。還元雰囲気調整剤供給部３１０から洗浄液に還元雰囲気調整剤が投入されることにより、洗浄液の酸化還元電位が銀−塩化銀電極基準で−０．８Ｖ以上−０．４Ｖ以下に維持される。制御部３０４は蒸気酸化還元電位が得られる還元剤投入量にするために、バルブＶ５の開度を調整する。
【００８２】
＜排出工程＞
洗浄工程が所定時間実施された後、第１実施形態と同様の工程で火炉壁管１３ａ，１３ｂ内の洗浄液が薬液排出ライン３０３を介して薬液タンク３０１に回収される。これにより、本実施形態の化学洗浄方法が終了する。
【００８３】
ヘマタイトが大量に付着している場合には、ヘマタイトの溶解による酸化還元電位の変動が大きくなる。本実施形態のように洗浄液に還元雰囲気調整剤を追加投入することにより、酸化還元電位を−０．８〜−０．４Ｖの範囲内に容易に調整することができる。
【００８４】
［第４実施形態］
図９は第４実施形態に係る化学洗浄装置を説明する概略図である。
第４実施形態に係る化学洗浄装置４００は第１実施形態の化学洗浄装置と同様に、薬液タンク４０１、薬液供給ライン４０２、薬液排出ライン４０３、制御部４０４、ポンプ４０５、還元雰囲気ガス供給部４１０として還元雰囲気ガス貯留部４１１及び給気ライン４１２、排気ライン４１３を備える。
化学洗浄装置４００において、薬液供給ライン４０２のポンプ４０５を跨いで循環ループ４０６が設置される。
なお、第２実施形態及び第３実施形態の化学洗浄装置に対しても循環ループを設けることができる。
【００８５】
洗浄液供給工程においてポンプ４０５を通過することにより洗浄液の温度が上昇する。ポンプ４０５を通過した洗浄液の一部が循環ループ４０６に流入し、ポンプ４０５上流側の薬液共有ラインに搬送される。こうすることにより、貫流ボイラ１０の火炉壁管１３ａ，１３ｂに昇温された洗浄液が送給されることになり、第１実施形態乃至第３実施形態よりも高温（具体的に、火炉壁管１３ａ，１３ｂの周辺の環境温度より高く、環境温度＋１０℃以下）で洗浄工程が実施される。
【００８６】
洗浄工程の温度を高くするほど、洗浄液とヘマタイトとの反応や洗浄液中への溶解が促進される。本実施形態に依れば、昇温設備を設置することなく簡易な構成で洗浄液の昇温を実現することができる。また、環境温度と洗浄液温度の温度差が小さいので、本実施形態の構成では長時間に渡り洗浄液の温度を環境温度よりも高く維持することが可能である。この結果、更に洗浄力を高めることが可能となる。
【００８７】
［第５実施形態］
図１０は第５実施形態に係る化学洗浄装置を説明する概略図である。
第５実施形態に係る化学洗浄装置５００は第１実施形態の化学洗浄装置と同様に、薬液タンク５０１、薬液供給ライン５０２、薬液排出ライン５０３、制御部５０４、ポンプ５０５、還元雰囲気ガス供給部５１０として還元雰囲気ガス貯留部５１１及び給気ライン５１２、排気ライン５１３を備える。
化学洗浄装置５００は、更に水供給部５２０を備える構成である。水供給部５２０は、水タンク５２１及び水供給ライン５２２を備える。水タンク５２１は内部に水を収容する。水供給ライン５２２には水張ポンプ５２３及びバルブＶ６が設置される。水供給ライン５２２は、下部管寄せ１４ａ，１４ｂに接続する。
【００８８】
第５実施形態の化学洗浄装置５００を用いて貫流ボイラ内に付着したヘマタイトを洗浄除去する化学洗浄方法を以下で説明する。本実施形態の化学洗浄方法を実施するに当たり、貫流ボイラ１０と節炭器２６とを連結する配管に設置されるバルブは閉鎖される。
【００８９】
＜ガス供給工程＞
第１実施形態と同様の工程で、還元雰囲気ガス貯留部５１１から給気ライン５１２を介して火炉壁管１３ａ，１３ｂ内に還元雰囲気ガスが供給され、火炉壁管１３ａ，１３ｂ内が還元雰囲気ガスで充填される。
【００９０】
＜洗浄液供給工程＞
制御部５０４はポンプ５０５を起動するとともにバルブＶ１，Ｖ４を開放する。薬液タンク５０１内の洗浄液が薬液供給ライン５０２を介して貫流ボイラ１０に送給される。
【００９１】
所定量の洗浄液が送給された後、制御部５０４はポンプ５０５を停止しバルブＶ１を閉鎖する。次いで、制御部５０４は、水張ポンプ５２３を起動するとともにバルブＶ６を開放する。これにより水タンク５２１内の水が水供給ライン５２２を介して貫流ボイラ１０の火炉壁管１３ａ，１３ｂに送給される。
【００９２】
洗浄液及び水の流速を調整することにより、洗浄液の層が鉛直方向上側にあり、水の層が鉛直方向下側となり、洗浄液の層と水の層とが少なくとも一部が分離した状態で火炉壁管１３ａ，１３ｂ内の水位が上昇する。本実施形態では、火炉壁管１３ａ，１３ｂ内でヘマタイトが他部よりも多く付着している領域１７が洗浄液の層に浸漬するように、制御部５０４は所定量の洗浄液及び水を、それぞれ薬液タンク５０１及び水タンク５２１から火炉壁管１３ａ，１３ｂに送給する。
【００９３】
＜洗浄工程＞
ヘマタイトが他部よりも多く付着した領域１７が洗浄液に浸漬されると、制御部５０４は水張ポンプ５２３を停止するとともにバルブＶ４，Ｖ６を閉鎖する。洗浄液が静置された状態で、ヘマタイトの漬け置き洗いが実施される。本実施形態においても、洗浄工程中の洗浄液温度は火炉壁管１３ａ，１３ｂの周辺の環境温度と同程度であり、洗浄工程中の洗浄液の酸化還元電位が−０．８Ｖ以上−０．４Ｖ以下（銀−塩化銀電極基準）に維持される。
【００９４】
＜排出工程＞
洗浄工程が所定時間実施された後、第１実施形態と同様の工程で火炉壁管１３ａ，１３ｂ内の洗浄液が薬液タンク５０１に送給される。これにより、本実施形態の化学洗浄方法が終了する。
薬液タンク５０１に回収された洗浄液は防錆剤濃度が低下している。このため、新たな洗浄液を追加して洗浄液を再利用するか、薬液タンク５０１から洗浄液を排出して廃棄する。
【００９５】
本実施形態の方法に依れば、ヘマタイトが他部よりも多く付着した領域１７が洗浄液に浸漬されて集中的に除去されるので、使用する洗浄液の量を大幅に削減することができるため、洗浄コストを削減することが可能である。
【００９６】
［第６実施形態］
第６実施形態の化学洗浄装置は、洗浄液がマイクロカプセルに収容される以外は、第１実施形態と同じ構成である。
マイクロカプセルは、上述の洗浄液が水溶性のカプセルに包装されたものである。マイクロカプセルのカプセル材質は、例えばデキストリン、加工でんぷん、ゼラチン、アラビアガム、アルギン酸ソーダ、カラギーナン等の水溶性の高分子である。マイクロカプセルの大きさは例えば直径０．５ｍｍ〜２ｍｍ程度である。マイクロカプセルは、例えば噴霧乾燥法、スプレークーリング法等により作製される。
【００９７】
第６実施形態の化学洗浄装置では、薬液供給ライン１０２のポンプ１０５上流側に、マイクロカプセル供給部が設置される。マイクロカプセル供給部はマイクロカプセルを収容するタンクを有している。マイクロカプセルは搬送用液体（例えば水）に分散された状態でタンクに収容される。
【００９８】
第６実施形態では、第１実施形態と同様にして、ガス供給工程、洗浄液供給工程、洗浄工程及び排出工程が実施される。第６実施形態の洗浄液供給工程では、マイクロカプセル供給部と薬液供給ライン１０２とを連結する流路に設置されたポンプの起動によりマイクロカプセルを含む搬送用液体が薬液供給ライン１０２を流通する洗浄液中に供給され、マイクロカプセルを含む洗浄液が火炉壁管１３ａ，１３ｂに供給される。火炉壁管１３ａ，１３ｂ内でマイクロカプセルが上方に向かって移動し、液面近傍に堆積する。マイクロカプセルのカプセルが搬送用液体に溶解することで洗浄液が放出され、液面近傍に泡状の洗浄液の層が形成される。特にヘマタイトが他部よりも多く付着した領域１７が洗浄液の層に浸漬するように、マイクロカプセルの分散濃度（洗浄液量）及び液面高さ（制御部１０４が供給する搬送用液体の量）が適宜調整される。
【００９９】
本実施形態の方法によれば、ヘマタイトが他部よりも多く発生した領域を洗浄液に容易に浸漬することができるので、使用する洗浄液の量を更に大幅に削減することができ、洗浄コストを更に削減することが可能である。
【０１００】
なお、第６実施形態は第２実施形態〜第５実施形態の化学洗浄方法及び化学洗浄装置に対しても適用可能である。
【０１０１】
［第７実施形態］
第７実施形態に係る化学洗浄方法を、図１の化学洗浄装置１００を用いて説明する。第７実施形態の化学洗浄方法では、洗浄工程以外は第１実施形態と同様にして、ガス供給工程、洗浄液供給工程及び排出工程が実施される。
【０１０２】
第７実施形態の化学洗浄方法における洗浄工程では、ヘマタイトが付着した領域が洗浄液に浸漬されると、制御部１０４はポンプ１０５を停止するとともにバルブＶ１，Ｖ４を閉鎖する。
【０１０３】
制御部１０４はバルブＶ２を開放する。バルブＶ２の開放により洗浄液が薬液排出ライン１０３を介して薬液タンク１０１に戻るように送給されるので、火炉壁管１３ａ，１３ｂ内の洗浄液の液面が低下する。次いで制御部１０４は、バルブＶ２を閉鎖するとともにバルブＶ１を開放し、ポンプ１０５を起動させる。これにより、薬液タンク１０１中の洗浄液が薬液供給ライン１０２を介して貫流ボイラ１０の火炉壁管１３ａ，１３ｂに送給されて、火炉壁管１３ａ，１３ｂ内の洗浄液の液面が上昇する。制御部１０４は、この洗浄液の排出と送給とを所定の周期で実施する。
【０１０４】
ここでの洗浄液の排出量は洗浄液の一部でも良いし全部でも良い。洗浄液の排出量を変えれば、液面の変化量を変えることができる。洗浄液の排出量、すなわち、液面の変化量は、ヘマタイトが他部よりも多く付着した領域の大きさや洗浄効率等を考慮して適宜設定されることが好ましい。制御部１０４は、液面変化量に対応させて、所定量の洗浄液を排出及び送給する。
また、洗浄液の排出と送給とを繰り返す期間と、静置期間とを周期的に交互に実施されてもよい。
【０１０５】
洗浄液の排出と送給とを繰り返すと、火炉壁管１３ａ，１３ｂ内での液面付近での洗浄液の撹拌が発生するとともに、洗浄液に流速が与えられることになる。この結果、洗浄力が向上し、ヘマタイトの洗浄効率が上昇する。
【０１０６】
なお、本実施形態の化学洗浄方法は、第２実施形態〜第４実施形態の化学洗浄装置を用いた場合にも適用可能である。
【０１０７】
［第８実施形態］
図１１は第８実施形態に係る化学洗浄装置を説明する概略図である。
第８実施形態に係る化学洗浄装置６００は第１実施形態の化学洗浄装置と同様に、薬液タンク６０１、薬液供給ライン６０２、薬液排出ライン６０３、制御部６０４、ポンプ６０５、還元雰囲気ガス供給部６１０として還元雰囲気ガス貯留部６１１及び給気ライン６１２、排気ライン６１３を備える。化学洗浄装置６００は更に、薬液排出ライン６０３にポンプ６０６を備える。
第８実施形態に係る化学洗浄方法を、図１１を用いて説明する。第８実施形態の化学洗浄方法では、洗浄工程以外は第１実施形態と同様にして、ガス供給工程、洗浄液供給工程及び排出工程が実施される。
【０１０８】
第８実施形態の化学洗浄方法における洗浄工程では、ヘマタイトが付着した領域が洗浄液に浸漬されると、制御部６０４は薬液供給ライン６０２のポンプ６０５を停止するとともにバルブＶ１，Ｖ４を閉鎖する。
【０１０９】
制御部６０４はバルブＶ２，Ｖ３を開放するとともにポンプ６０６を作動させる。バルブＶ３の開放により還元雰囲気ガス貯留部１１１から給気ライン１１２を介して貫流ボイラ１０の火炉壁管１３ａ，１３ｂに還元雰囲気ガスが送給され、洗浄液液面上部の空間内のガス圧力が上昇する。同時に、バルブＶ２の開放とポンプ６０６の起動により、火炉壁管１３ａ，１３ｂ内部の洗浄液が薬液排出ライン６０３を介して薬液タンク６０１に送給され、火炉壁管１３ａ，１３ｂ内の洗浄液の液面が低下する。
【０１１０】
次いで制御部６０４は、バルブＶ２，Ｖ３を閉鎖するとともにバルブＶ１，Ｖ４を開放する。制御部はポンプ６０６を停止させ、ポンプ６０５を起動させる。これにより、薬液タンク６０１中の洗浄液が薬液供給ライン６０２を介して貫流ボイラ１０の火炉壁管１３ａ，１３ｂに送給されて、火炉壁管１３ａ，１３ｂ内の洗浄液の液面が上昇する。
【０１１１】
ガスによる洗浄液液面の加圧とポンプを用いた洗浄液の排出を利用するので、第７実施形態に比べて洗浄液排出時の流速が高く、火炉壁管１３ａ，１３ｂ内での液面付近で洗浄液が撹拌されやすい。このため、第７実施形態よりも洗浄力が向上し、ヘマタイトの洗浄効率が上昇する。
【０１１２】
本実施形態の化学洗浄装置及び化学洗浄方法は、第２実施形態〜第４実施形態に対して薬液排出ラインにポンプを設置する場合にも適用可能である。
【０１１３】
［第９実施形態］
図１２は第９実施形態に係る化学洗浄装置を説明する概略図である。
第９実施形態に係る化学洗浄装置７００は第１実施形態の化学洗浄装置と同様に、薬液タンク７０１、薬液供給ライン７０２、薬液排出ライン７０３、制御部７０４、ポンプ７０５、還元雰囲気ガス供給部７１０として還元雰囲気ガス貯留部７１１及び給気ライン７１２、排気ライン７１３を備える。化学洗浄装置７００は更に循環ライン７２０を備える。なお、第２実施形態〜第４実施形態の化学洗浄装置に対しても同様の循環ラインを設置することが可能である。
【０１１４】
循環ライン７２０は、貫流ボイラの一端側として下部管寄せ１４ａ，１４ｂと、他端側として上部管寄せ１５ａ，１５ｂとに接続する。循環ライン７２０の途中位置に循環ポンプ７２１が設置される。循環ライン７２０及び循環ポンプ７２１は仮設として設置されても良い。
【０１１５】
洗浄液の循環方向は特に限定されない。図１２の構成では火炉壁管１３ａ，１３ｂ内を下から上に向かって洗浄液が流通するように循環されるが、上から下に向かって洗浄液が流通するように循環される構成としても良い。
【０１１６】
本実施形態では洗浄液の温度は環境温度付近であり、また循環流量も洗浄工程の間に少なくとも１回は循環する程度の小流量でよい。従って、循環ポンプ７２１の吐出し圧力は低くて良い。
【０１１７】
第９実施形態の化学洗浄装置７００を用いた化学洗浄方法を以下で説明する。第９実施形態の化学洗浄方法では、第１実施形態と同様にして、ガス供給工程及び排出工程が実施される。
【０１１８】
＜洗浄液供給工程＞
制御部７０４はポンプ７０５を起動させるとともにバルブＶ１，Ｖ４を開放する。薬液タンク７０１内の洗浄液が薬液供給ライン７０２を介して貫流ボイラ１０に送給される。第９実施形態では、貫流ボイラ１０内の下部管寄せ、火炉壁管、上部管寄せ、及び循環ライン７２０の全てに洗浄液が供給される。制御部７０４は下部管寄せ、火炉壁管、上部管寄せ、及び循環ライン７２０の全てを浸漬できる洗浄液量を格納しており、洗浄液供給工程で所定量の洗浄液を貫流ボイラ１０に送給する。
【０１１９】
ここで、貫流ボイラ１０と気水分離器３０とを連結する配管に設置されるバルブは閉鎖される。こうすることにより洗浄液が貫流ボイラ１０の下流側で隣接する機器である気水分離器３０に洗浄液が流入することを防止できる。
【０１２０】
＜洗浄工程＞
所定量の洗浄液が貫流ボイラ１０に送給されると、制御部７０４はポンプ７０５を停止するとともにバルブＶ１，Ｖ４を閉鎖する。次いで制御部７０４は循環ポンプ７２１を起動する。循環ポンプ７２１の起動により、洗浄液が下部管寄せ１４ａ，１４ｂ、火炉壁管１３ａ，１３ｂ、上部管寄せ１５ａ，１５ａ及び循環ライン７２０を通過する。すなわち、本実施形態では貫流ボイラ１０に隣接する他の機器（節炭器２６、気水分離器３０）に洗浄液が流入することなく循環される。循環は、洗浄工程期間中に洗浄液が貫流ボイラ１０〜循環ライン７２０の間を少なくとも１周回るだけの流量で実施される。なお、循環ポンプ７２１の回転数を所定の周期で増減させても良い。こうすることにより、火炉壁管１３ａ，１３ｂ内部を流通する洗浄液の流速が変動し、洗浄能力が更に向上する。
【０１２１】
また、循環ポンプ７２１を通過する際に洗浄液が昇温される。このため、例えば第１実施形態のように洗浄工程中に洗浄液を静置した場合と比較して高い温度（具体的に、火炉壁管１３ａ，１３ｂの周辺の環境温度より高く、環境温度＋１０℃以下）で洗浄工程が実施される。
【０１２２】
洗浄工程中において洗浄液の流通路（下部管寄せ１４ａ，１４ｂ、火炉壁管１３ａ，１３ｂ、上部管寄せ１５ａ，１５ｂ及び循環ライン７２０）は閉空間を構成するので、洗浄工程中の洗浄液の酸化還元電位は−０．８Ｖ以上−０．４Ｖ以下（銀−塩化銀電極基準）に維持される。
【０１２３】
本実施形態に依れば、洗浄液に流速が与えられ、洗浄液が撹拌され、更に洗浄工程中に洗浄液が加熱されるため、循環ラインを設けない第１実施形態よりも洗浄力が向上し、ヘマタイトの洗浄効率が上昇する。
【符号の説明】
【０１２４】
１  火力発電システム
１０，１０ａ，１０ｂ  貫流ボイラ
１１ａ，１１ｂ  燃焼室
１２ａ，１２ｂ  壁面
１３ａ，１３ｂ  火炉壁管
１４ａ，１４ｂ  下部管寄せ
１５ａ，１５ｂ  上部管寄せ
１６  分岐部
１００，２００，３００，４００，５００，６００，７００  化学洗浄装置
１０１，２０１，３０１，４０１，５０１，６０１，７０１  薬液タンク
１０２，２０２，３０２，４０２，５０２，６０２，７０２  薬液供給ライン
１０３，２０３，３０３，４０３，５０３，６０３，７０３  薬液排出ライン
１０４，２０４，３０４，４０４，５０４，６０４，７０４  制御部
１０５，２０５，３０５，４０５，５０５，６０５，６０６，７０５  ポンプ
１１０，２１０，４１０，５１０，６１０，７１０  還元雰囲気ガス供給部
１１１，４１１，５１１，６１１，７１１  還元雰囲気ガス貯留部
１１２，４１２，５１２，６１２，７１２  給気ライン
１１３，２１３，４１３，５１３，６１３，７１３  排気ライン
３１０  還元雰囲気調整剤供給部
３１１  還元雰囲気調整剤貯留部
３１２  還元雰囲気調整剤供給ライン
４０６  循環ループ
５２０  水供給部
５２１  水タンク
５２２  水供給ライン
５２３  水張ポンプ
７２０  循環ライン
７２１  循環ポンプ
【要約】
【課題】ヘマタイトを除去する化学洗浄を低コストで実施することができるとともに、メンテナンス工期を短縮可能な化学洗浄方法及び化学洗浄装置を提供する。
【解決手段】中性の防錆剤を含む洗浄液が、薬液供給ライン１０２を通じて、ヘマタイトが付着した部材を有する洗浄対象機器１０に直接的に供給される。少なくともヘマタイトが付着した領域が洗浄液に浸漬され、洗浄液の酸化還元電位が洗浄液にヘマタイトが溶出する値に維持されて化学洗浄が実施されることにより、ヘマタイトが部材から溶出して除去される。
【選択図】図１【図１】
0005721888.tif 000002
【図２】
0005721888.tif 000003
【図３】
0005721888.tif 000004
【図４】
0005721888.tif 000005
【図７】
0005721888.tif 000006
【図８】
0005721888.tif 000007
【図９】
0005721888.tif 000008
【図１０】
0005721888.tif 000009
【図１１】
0005721888.tif 000010
【図１２】
0005721888.tif 000011
【図１３】
0005721888.tif 000012
【図５】
0005721888.tif 000013
【図６】
0005721888.tif 000014